(57)【要約】【課題】ライトガイドを蓋部に固定することで、ライトガイドからの光の取り出し効率が低下することを抑制することができる照明装置および車両用照明装置を提供する。【解決手段】実施形態の照明装置１−１は、発光部２と、保持部３と、ライトガイド４と、蓋部５とを有する。発光部２は、１以上の発光素子２１を有する。保持部３は、発光部２を保持する。ライトガイド４は、入射された発光部２からの光を導光し、発光部２側と反対側の先端部４ａから出射する。蓋部５は、先端部４ａを露出させた状態でライトガイド４が挿入される開口部５１を有し、保持部３との間で形成された空間部Ｓに、ライトガイド４の一部および発光部２を収納する。また、ライトガイド４は、開口部５１に挿入された状態で、蓋部５に固定される固定部４１を有し、固定部４１から先端部４ａ側の外径Ｄ２が、固定部４１よりも発光部２側の外径Ｄ１よりも大きい。【選択図】図１
2014235787.tif 000002
【特許請求の範囲】
【請求項１】
１以上の発光素子を有する発光部と、
前記発光部を保持する保持部と、
入射された前記発光部からの光を導光し、前記発光部側と反対側の先端部から出射するライトガイドと、
先端部を露出させた状態で前記ライトガイドが挿入される開口部を有し、前記保持部との間で形成された空間部に、前記ライトガイドの一部および前記発光部を収納する蓋部と、
を有し、
前記ライトガイドは、前記開口部に挿入された状態で、前記蓋部に固定される固定部を有し、前記固定部から先端部側の外径が、前記固定部よりも前記発光部側の外径よりも大きい照明装置。
【請求項２】
請求項１に記載の照明装置において、
前記蓋部は、前記ライトガイドの径方向において前記ライトガイドと対向する位置決め部を有し、
前記位置決め部は、前記空間部において周方向に少なくとも１つ形成されている照明装置。
【請求項３】
請求項１または２に記載の照明装置において、
前記固定部は、前記ライトガイドの径方向に突出しており、周方向に少なくとも１つ形成されている照明装置。
【請求項４】
請求項１〜３のいずれか１つに記載の照明装置において、
前記固定部の外径は、前記固定部から先端部側の外径よりも大きく、
前記固定部は、前記蓋部の内側で前記蓋部に固定される照明装置。
【請求項５】
請求項１〜３のいずれか１つに記載の照明装置において、
前記固定部は、前記蓋部の外側で前記蓋部に固定される照明装置。
【請求項６】
前記発光部を保持する保持部と、
入射された前記発光部からの光を導光し、前記発光部側と反対側の先端部から出射するライトガイドと、
先端部を露出させた状態で前記ライトガイドが挿入される開口部を有し、前記保持部との間で形成された空間部に、前記ライトガイドの一部および前記発光部を収納する蓋部と、
を有し、
前記ライトガイドは、前記開口部に挿入された状態で、前記蓋部の外側で前記蓋部に固定される固定部を有し、
前記固定部から先端部側の外径は、前記固定部よりも前記発光部側の外径と同じであり  前記固定部の外径は、前記固定部から先端部側の外径よりも大きい照明装置。
【請求項７】
請求項１〜６のいずれか１つに記載の照明装置を少なくとも１以上有する車両用照明装置。
【発明の詳細な説明】
【技術分野】
【０００１】
本発明の実施形態は、照明装置および車両用照明装置に関する。
【背景技術】
【０００２】
発光素子を光源とした車両用照明装置は、フロントコンビネーションライトやリアコンビネーションライトに用いられている。発光素子を照明装置として用いる場合は、発光素子の熱対策が重要な項目となる。発光素子は、素子自体の温度上昇に伴い発光効率が低下する特性を有しているためである。特に、車両用照明装置では、車載のため、−４０℃の低温環境から８５℃の高温環境までの使用環境下で機能を維持することが要求されており、高温環境下での熱対策が重要となる。また、車両用照明装置では、小型化が要求されていることから、放熱面積を十分に確保することができないため、熱対策がさらに重要となる。ところで、車両用照明装置では、発光素子からの光を導光して、例えば灯具に照射するライトガイドを有するものがある。
【先行技術文献】
【特許文献】
【０００３】
【特許文献１】特開２０１０−１８２５５４号公報
【特許文献２】特開２０１２−２４３７３５号公報
【発明の概要】
【発明が解決しようとする課題】
【０００４】
ライトガイドを用いる場合は、発光素子が収納されているカバーにライトガイドを固定する必要がある。例えば、ライトガイドの発光素子と対向する発光素子側にフランジ状の固定部を形成し、固定部をカバー内部に形成された受け部に挿入し、ライトガイドのうち固定部から発光素子側と反対側を、カバーに密着させた状態で固定することが考えられる。この場合は、ライトガイドに導光された発光素子からの光は、ライトガイドとカバーとの境界でカバー側に漏れる虞があり、ライトガイドからの光の取り出し効率が低下する問題がある。
【０００５】
本発明は、ライトガイドを固定することで、ライトガイドからの光の取り出し効率が低下することを抑制することができる照明装置および車両用照明装置を提供することを目的とする。
【課題を解決するための手段】
【０００６】
実施形態の照明装置は、発光部と、保持部と、ライトガイドと、蓋部とを有する。発光部は、１以上の発光素子を有する。保持部は、発光部を保持する。ライトガイドは、入射された発光部からの光を導光し、発光部側と反対側の先端部から出射する。蓋部は、先端部を露出させた状態でライトガイドが挿入される開口部を有し、保持部との間で形成された空間部に、ライトガイドの一部および発光部を収納する。また、ライトガイドは、開口部に挿入された状態で、蓋部に固定される固定部を有し、固定部から先端部側の外径が、固定部よりも発光部側の外径よりも大きい。
【発明の効果】
【０００７】
本発明によれば、ライトガイドを蓋部に固定することで、ライトガイドからの光の取り出し効率が低下することを抑制することができる照明装置および車両用照明装置を提供することができる。
【図面の簡単な説明】
【０００８】
【図１】図１は、実施形態１の照明装置を示す一部断面図である。
【図２】図２は、実施形態１の照明装置のライトガイドを示す平面図である。
【図３】図３は、実施形態１の照明装置の蓋部を示す平面図である。
【図４】図４は、実施形態１の照明装置の変形例を示す一部断面図である。
【図５】図５は、実施形態１の照明装置の変形例における蓋部を示す平面図である。
【図６】図６は、実施形態の照明装置の変形例１を示す一部断面図である。
【図７】図７は、実施形態の照明装置の変形例２を示す一部断面図である。
【図８】図８は、実施形態の照明装置の変形例３を示す一部断面図である。
【図９】図９は、実施形態２の照明装置を示す一部断面図である。
【図１０】図１０は、実施形態２の照明装置を示す平面図である。
【発明を実施するための形態】
【０００９】
以下で説明する実施形態に係る照明装置１−１〜１−６は、発光部２と、保持部３と、ライトガイド４と、蓋部５とを有する。発光部２は、１以上の発光素子２１を有する。保持部３は、発光部２を保持する。ライトガイド４は、入射された発光部２からの光を導光し、発光部２側と反対側の先端部４ａから出射する。蓋部５は、先端部４ａを露出させた状態でライトガイド４が挿入される開口部５１を有し、保持部３との間で形成された空間部Ｓに、ライトガイド４の一部および発光部２を収納する。また、ライトガイド４は、開口部５１に挿入された状態で、蓋部５に固定される固定部４１を有し、固定部４１から先端部４ａ側の外径Ｄ２が、固定部４１よりも発光部２側の外径Ｄ１よりも大きい。
【００１０】
また、以下に説明する実施形態に係る照明装置１−１，１−３〜１−５では、蓋部５は、ライトガイド４の径方向においてライトガイド４と対向する位置決め部５２を有し、位置決め部５２は、空間部Ｓにおいて周方向に少なくとも１つ形成されている。
【００１１】
また、以下に説明する実施形態に係る照明装置１−１〜１−６では、固定部４１は、ライトガイド４の径方向に突出しており、周方向に少なくとも１つ形成されている。
【００１２】
また、以下に説明する実施形態に係る照明装置１−１，１−２，１−５では、固定部４１の外径Ｄ３は、固定部４１よりも先端部４ａ側の外径Ｄ２よりも大きく、固定部４１は、蓋部５の内側で蓋部５に固定される。
【００１３】
また、以下に説明する実施形態に係る照明装置１−４では、固定部４３は、蓋部５の外側で蓋部５に固定される。
【００１４】
また、以下に説明する実施形態に係る照明装置１−６は、発光部２と、保持部３と、ライトガイド４と、蓋部５とを有する。発光部２は、１以上の発光素子２１を有する。保持部３は、発光部２を保持する。ライトガイド４は、入射された発光部２からの光を導光し、発光部２側と反対側の先端部４ａから出射する。蓋部５は、先端部４ａを露出させた状態でライトガイド４が挿入される開口部５１を有し、保持部３との間で形成された空間部Ｓに、ライトガイド４の一部および発光部２を収納する。また、ライトガイド４は、開口部５１に挿入された状態で、蓋部５に固定される固定部４５を有し、固定部４４から先端部４ａ側の外径Ｄ２は、固定部４５よりも発光部２側の外径Ｄ１と同じであり、固定部４５の外径Ｄ３は、固定部４５から先端部４ａ側の外径Ｄ２よりも大きい。
【００１５】
また、以下に説明する実施形態に係る照明装置１−１〜１−６は、少なくとも１以上有することで車両用照明装置を構成する。
【００１６】
〔実施形態１〕
図１〜図３を参照して、実施形態を説明する。図１は、実施形態１の照明装置を示す一部断面図である。図２は、実施形態１の照明装置のライトガイドを示す平面図である。図３は、実施形態１の照明装置の蓋部を示す平面図である。なお、図１（図４、図６〜図９も同様）は、主にライトガイドおよび蓋部が、軸方向を含む平面における断面形状で表されている。
【００１７】
本実施形態の照明装置１−１は、車両のエクステリア、あるいはインテリアにおいて用いられる車両用照明装置に用いられるものであり、例えば、フロントコンビネーションライト、リアコンビネーションライトなどを構成するストップランプ、テールランプ、ターンシグナルランプ、フォグランプである。これらの構成は、図示しない灯具と、１以上の照明装置１−１とを含んで構成されている。灯具は、例えば、図示しないレンズとリフレクタとを有する。灯具は、照明装置１−１の一部を露出させるための図示しない挿入口が形成されており、照明装置１−１を挿入口から灯具内部に挿入した状態で、灯具に取り付けられている。なお、固定に際し、灯具と照明装置１−１との間には、図示しないシール部材が介在している。照明装置１−１は、灯具内部に光を照射するものであり、図１に示すように、発光部２と、保持部３と、ライトガイド４と、蓋部５とを含んで構成されている。照明装置１−１は、発光部２およびライトガイド４の一部が蓋部５に収納され、ライトガイド４が蓋部５に固定されている。本実施形態では、灯具には、１つの照明装置１−１が装着されているがこれに限定されるものではなく、２以上の照明装置１−１が装着されていてもよい。
【００１８】
発光部２は、光を照射するものであり、基板２２に実装された発光素子２１を有する。発光素子２１は、ＬＥＤ、ＬＤなどの光を照射する半導体素子であり、１個以上、本実施形態では複数個が直列あるいは並列に基板２２に直接実装されている。各発光素子２１は、図示しないワイヤを介して基板２２と電気的に接続されている。基板２２は、発光素子２１を実装する実装用基板であるとともに発光部２に電力を供給する駆動回路を実装する駆動用基板でもある。基板２２は、ライトガイド４側が部品配置面であり、上記各発光素子２１や各発光素子２１を制御する図示しない制御素子が実装されている。基板２２は、部品配置面と反対側の面を放熱面として、本実施形態では、放熱面が保持部３の本体部３１に当接した状態で固定されている。また、基板２２は、例えば、熱伝導率の高い金属やセラミックスなど発光素子２１が発生する熱移動が容易な材料で形成されている絶縁基板である。基板２２は、図示しない給電部材と接続されており、照明装置１−１の外部に設けられた図示しない外部電源と電気的に接続され、各発光素子２１に給電部材を介して外部電源の電力が供給される。なお、各発光素子２１と給電部材との接続は、並列あるいは直列のいずれであってもよい。
【００１９】
保持部３は、発光部２を保持するものであり、発光部２からの熱を放熱する放熱部材でもある。保持部３のうち、発光部２が載置される本体部３１は、樹脂材料で構成されており、本実施形態では、放熱性を向上させるために、金属を材料として形成されたヒートシンク３２が樹脂材料で構成された本体部３１に取り付けられている。ヒートシンク３２は、保持部３の外部に対する表面積を拡大するものであるので、放熱面積が向上し、放熱効果が向上する。なお、保持部３の本体部３１とヒートシンク３２は、放射性の高い樹脂などで一体的に成形された構成でもよい。
【００２０】
ライトガイド４は、入射された発光部２からの光を導光して、発光部２側と反対側の先端部４ａから出射し、本実施形態では、灯具に照射するものである。ライトガイド４は、円柱形状に形成されており、例えば、透明なアクリル樹脂、ガラス、ポリカーボネートなどの光線透過率の高い材料により形成されている。ライトガイド４は、固定部４１と、発光部用凹部４２とを含んで構成されている。
【００２１】
固定部４１は、蓋部５に固定されるものであり、軸方向、すなわち照明装置１−１の上下方向において、ほぼ中央部にライトガイド４の径方向に突出して形成されている。固定部４１は、本実施形態では、図２に示すように、周方向に等間隔に２つ形成されている。ここで、ライトガイド４のうち、固定部４１よりも先端部４ａ側を先端部側部分４ｂと、発光部２側を発光部側部分４ｃとする。先端部側部分４ｂおよび発光部側部分４ｃは、円柱形状であり、先端部側部分４ｂの外径Ｄ２が発光部側部分４ｃの外径Ｄ１よりも大きく形成されている。また、固定部４１の外径Ｄ３（ライトガイド４の中心軸と、固定部４１のうち中心軸から最も遠い外周面との距離の２倍）は、ライトガイド４の最大外径となるように形成されている。つまり、発光部側部分４ｃの外径Ｄ１と、先端部側部分４ｂの外径Ｄ２と、固定部４１の外径Ｄ３とは、Ｄ１＜Ｄ２＜Ｄ３の関係となる。従って、固定部４１から先端部４ａ側の外径Ｄ２が、固定部４１よりも発光部２側の外径Ｄ１よりも大きくなる。また、先端部側部分４ｂの外径Ｄ２は、発光部２からライトガイド４に導光される光（図１に示すＬ１，Ｌ２）のうち、固定部４１と発光部側部分４ｃとの境界を通過する光（Ｌ１）が、固定部４１の先端部４ａ側の面に入射しないように設定されている。
【００２２】
発光部用凹部４２は、発光部２側の端面（下面）に形成されており、発光部２が挿入されるものである。発光部用凹部４２により発光部２が囲まれたことで、発光部２の水平方向から発光部２からの光がライトガイド４から漏れることを抑制することができる。なお、ライトガイド４は、発光部２と接触、あるいは若干の隙間をもって光学的に接続されている。つまり、発光部２からの光は、ライトガイド４の発光部２側の端面から入射され、ライトガイド４内を全反射しながら先端部４ａ、本実施形態では先端部４ａ側の端面（上面）から外部に出射される。
【００２３】
蓋部５は、ライトガイド４を固定するものであるとともに、保持部３に固定されるものである。蓋部５は、図１に示すように、有底円筒状に形成されており、保持部３との間で空間部Ｓが形成されている。従って、発光部２は、空間部Ｓに収納されており、外部に対して露出していない。蓋部５は、開口部５１と、位置決め部５２とを含んで構成されている。また、蓋部５の上面５ａと接続される外周面には、灯具に照明装置１−１を取り付けるための図示しない取付部が形成されている。
【００２４】
開口部５１は、蓋部５の上面５ａの中央部に形成されており、ライトガイド４が挿入されるものである。本実施形態では、ライトガイド４が上面５ａ側から挿入されるものであり、ライトガイド４の一部、すなわち発光部側部分４ｃおよび固定部４１が空間部Ｓに収納される。ここで、ライトガイド４が開口部５１に挿入された状態で固定部４１が蓋部５に固定されると、開口部５１から先端部４ａが露出した状態となる。開口部５１には、切欠部５１ａが形成されている。切欠部５１ａは、開口部５１の径方向に突出して、本実施形態では、図３に示すように、各固定部４１が挿入できるように、周方向に等間隔に２つ形成されている。なお、開口部５１の径は、ライトガイド４が蓋部５に固定された際に、水平方向においてライトガイド４の外周面と蓋部５とが接触して、あるいは隙間を形成して対向するように設定されている。ライトガイド４と蓋部５との境界から蓋部５側にライトガイド４が導光する光が漏れることを抑制する場合は、開口部５１においてライトガイド４の外周面と蓋部５とに隙間を形成、すなわちライトガイド４の外周面と蓋部５とを接触しないように、対向させることが好ましい。
【００２５】
位置決め部５２は、図１に示すように、ライトガイド４の径方向においてライトガイド４と対向するものであり、空間部Ｓに形成されている。位置決め部５２は、本実施形態では、図中１−１の上下方向において空間部Ｓのほぼ中央部に配置される。また、位置決め部材５２は、図３に示すように、蓋部５の中心Ｏに向かって突出した略扇状に形成されており、ライトガイド４の径方向において対向するように２つ形成されている。位置決め部５２は、ライトガイド４が開口部５１に挿入された状態で、ライトガイド４のうち固定部４１よりも発光部２側、すなわち発光部側部分４ｃとライトガイド４の径方向において対向する。２つの位置決め部５２の間に形成される位置決め空間部５３は、蓋部５の中心Ｏを含む幅Ｄ４がライトガイド４の外径、ここでは発光部側部分４ｃのＤ１よりも若干大きく設定されている。つまり、各位置決め部５２がライトガイド４に接触した状態で、ライトガイド４が蓋部５に固定されることを抑制する。従って、ライトガイド４の外周面と蓋部５とが接触することにより、ライトガイド４と蓋部５との境界から蓋部５側にライトガイド４が導光する光が漏れることを抑制することができる。
【００２６】
次に、照明装置１−１の組み立てについて説明する。まず、図１に示すように、予め保持部３に発光部２を保持させる。次に、固定部４１と切欠部５１ａとが、図中１−１の上下方向において対向した状態で、ライトガイド４を蓋部５の開口部５１に挿入する。このとき、発光部側部分４ｃは、位置決め空間部５３を通過する。次に、固定部４１が切欠部５１ａを介して蓋部５の内側（空間部Ｓ）に位置すると、ライトガイド４が開口部５１に挿入された状態で、固定部４１を蓋部５に対して軸周りに回転させて固定する。なお、ライトガイド４の蓋部５に対する固定方法は、特に限定されるものではなく、係合手段や、締結手段などの機械的な固定手段や、接着などの化学的な固定手段のいずれであってもよい。これにより、固定部４１は、蓋部５のうち、上面５ａの空間部Ｓ側、すなわち蓋部５の内側で蓋部５に接触し、固定される。次に、ライトガイド４が固定された蓋部５に保持部３を挿入し固定する。このとき、位置決め部５２によりライトガイド４の径方向および固定部４１によりライトガイド４の軸方向に位置決めされたライトガイド４の発光部用凹部４２に発光部２が挿入される。従って、ライトガイド４の蓋部５への挿入時に、ライトガイド４の軸方向における位置決めを位置決め部５２により行うことができる。また、ライトガイド４の軸方向の位置決めは、ライトガイド４の径方向に突出した固定部４１を上面５ａの空間部Ｓ側に接触させることで確実に行うことができる。これにより、ライトガイド４の軸方向および径方向の位置決めを予め行ってあるので、蓋部５を保持部３に固定しても、ライトガイド４が発光部２と接触することを抑制することができる。さらに、図示しない取付部により、照明装置１−１は、灯具にライトガイド４の先端部４ａが灯具内部に露出した状態で、取り付けられる。
【００２７】
次に、照明装置１−１の動作について説明する。照明装置１−１は、上述のように灯具に取り付けられ、給電部材が外部電源と電気的に接続される。外部電源から電力の供給が開始されると、給電部材を介して基板２２に供給された外部電源からの電力は、各発光素子２１が供給された電力により発光することで発光部２が発光する。発光部２から照射された光（同図に示すＬ１，Ｌ２）は、発光部用凹部４２からライトガイド４に入射する。ライトガイド４内を導光された光は、先端部４ａから灯具内に出射され、灯具内から図示しないレンズを透過して外部、すなわち車両外部に照射される。
【００２８】
以上のように、本実施形態に係る照明装置１−１は、ライトガイド４が蓋部５の開口部５１に挿入された状態で、固定部４１により蓋部５に固定されるので、ライトガイド４と蓋部５との接触面積を減少させることができる。従って、ライトガイド４の大部分が空間部Ｓ、すなわち空気層と接触できるため、ライトガイド４の外周面と蓋部５とが接触することにより、ライトガイド４と蓋部５との境界から蓋部５側にライトガイド４が導光する光が漏れることを抑制することができる。また、固定部４１により蓋部５に固定され、先端部側部分４ｂの外径Ｄ２が発光部側部分４ｃの外径Ｄ１よりも大きいので、ライトガイド４に導光される発光部２からの光が固定部４１の先端部４ａ側の面に反射して先端部４ａまで導光されるまでの屈折回数が増加することを抑制することができる。従って、光路が長くなることを抑制することができるとともに、固定部４１から外部に出射される光を減少させることができる。これらにより、ライトガイド４を蓋部５に固定することでライトガイド４からの光の取り出し効率が低下することを抑制することができる。
【００２９】
なお、上記実施形態１では、蓋部５に位置決め部５２を設けたが本発明はこれに限定されるものではない。図４は、実施形態１の照明装置の変形例を示す一部断面図である。図５は、実施形態１の照明装置の変形例における蓋部を示す平面図である。図４に示すように、照明装置１−２の蓋部５は、図１に示す位置決め部材５２を設けなくてもよい。この場合は、固定部４１と開口部５１とが、図中１−２の上下方向において対向した状態で、ライトガイド４を空間部Ｓ側から開口部５１に挿入することができる。従って、図５に示すように、蓋部５は、図３に示す切欠部５１ａを設けなくてもよい。
【００３０】
なお、上記実施形態１では、ライトガイド４の形状を円柱形状としたがこれに限定されるものではない。図６は、実施形態の照明装置の変形例１を示す一部断面図である。図７は、実施形態の照明装置の変形例２を示す一部断面図である。図８は、実施形態の照明装置の変形例３を示す一部断面図である。先端部側部分４ｂの外径Ｄ２は、発光部２側の端部から先端部４ａまで一定でなくてもよい。図６に示すように、照明装置１−３は、先端部側部分４ｂの発光部２側から蓋部５から露出する一部までを一定の外径Ｄ２とし、それよりも先端部４ａ側の外径を縮小し、先端部４ａを外径Ｄ２よりも小さい外径Ｄ５としてもよい。また、図７に示すように、照明装置１−４は、先端部側部分４ｂの発光部２側の端部から先端部４ａまでの外径を拡大し、先端部４ａを発光部２側の端部の外径Ｄ２よりも大きい外径Ｄ６としてもよい。つまり、先端部側部分４ｂの発光部２側の端部の外径Ｄ２が発光部側部分４ｃの外径Ｄ１よりも大きければ、先端部４ａの形状を変化させることで、導光する光（図６に示すＬ３，Ｌ４、図７に示すＬ５，Ｌ６）の光路を変更して、配光特性を変更してもよい。なお、図７に示すように、先端部側部分４ｂの周囲を囲うように固定部４３を形成してもよい（固定部４３の発光部２側の端部の外径Ｄ３は、先端部側部分４ｂの発光部２側の端部の外径Ｄ２と同じ）。つまり、先端部側部分４ｂを固定部４３として機能させてもよい。この場合、後述する実施形態２と同様に、固定部４３が蓋部５の外側で固定される。
【００３１】
また、図８に示すように、照明装置１−５は、先端部４ａに凹部４４を形成してもよい。凹部４４は、円錐状、楕円錐状、底円筒状（例えば、底面は水平）、円錐台状（ライトガイド４の軸を含む平面における断面形状では、先端部４ａに向かって裾広がりとなる台形）などに形成されていてもよい。また、凹部４４は、断面形状における外周線が直線、曲線のいずれであってもよい。また、凹部４４の凹部表面は、粗面で形成されていてもよい。例えば、凹部表面は、表面粗さＲａが０．２以上と、表面が粗くなるように形成されている。従って、凹部表面に入射する光は、凹部表面が粗面であることで、散乱されて凹部表面から外部に放射されるので、配光特性を凹部表面が粗面で形成されていない場合の配光特性と異ならせることができる。例えば、配光特性を白熱電球状とすることができる。なお、凹部４４の凹部表面に反射材料や散乱材料を密接させてもよい。反射材料は、例えば、ライトガイド４を形成する材料と同じ材料を母材として反射材料（白色粒子など）を含んだ材料であり、ライトガイド４から反射材料に入射した光をライトガイド４内に反射することで、反射材料からライトガイド４の外部に光が放射することを抑制することができる。散乱材料は、例えば、ライトガイド４を形成する材料と同じ材料を母材として散乱材料（散乱粉末など）を含んだ材料であり、凹部表面を介して散乱材料に入射する光を散乱し、凹部４４から外部に放射するので、配光特性を凹部表面が粗面で形成されていない場合の配光特性と異ならせることができる。つまり、先端部４ａの形状を変更等することで、照明装置１−５の配光特性を所望の配光特性に変更することができる。
【００３２】
〔実施形態２〕
次に、実施形態２について説明する。図９は、実施形態２の照明装置を示す一部断面図である。図１０は、実施形態２の照明装置を示す平面図である。実施形態２に係る照明装置１−６の基本的構成は、実施形態１に係る照明装置１−１と同様であるためその説明は省略あるいは簡略化する。図９に示す照明装置１−６が照明装置１−１と異なる点は、固定部４５が蓋部５の外側で固定されている点である。
【００３３】
ライトガイド４は、外径の異なる２つの部分である、固定部４５から先端部４ａ側の先端部側部分４ｂと、固定部４５よりも発光部側の発光部側部分４ｃとを有する。先端部側部分４ｂは、蓋部５の上面５ａの空間部Ｓ側と反対側である外部側に位置するものである。発光部側部分４ｃは、上面５ａの空間部Ｓ側に位置する。先端部側部分４ｂおよび発光部側部分４ｃは、円柱形状であり、先端部側部分４ｂの固定部４５を除く部分の外径Ｄ２と発光部側部分４ｃの外径Ｄ１とは同じである。先端部側部分４ｂには固定部４５が形成されており、本実施形態では、先端部側部分４ｂにおいてライトガイド４の径方向に突出して、図１０に示すように、周方向に等間隔に２つ形成されている。また、固定部４５の外径Ｄ３（ライトガイド４の中心軸と、固定部４５のうち中心軸から最も遠い外周面との距離の２倍）は、ライトガイド４の最大外径となるように形成されている。つまり、外径Ｄ１〜Ｄ３は、Ｄ１（＝Ｄ２）＜Ｄ３の関係となり、固定部４５から先端部４ａ側の外径Ｄ２が、固定部４５よりも発光部２側の外径Ｄ１と同じで、固定部４５の外径Ｄ３は、固定部４５から先端部４ａ側の外径Ｄ２よりも大きくなる。ここで、固定部４５は、本実施形態では、先端部４ａまで延在して形成されているが、蓋部５の上面５ａからの高さが先端部側部分４ｂよりも低くてもよい。
【００３４】
照明装置１−６の組み立てにおいては、ライトガイド４を蓋部５の開口部５１に挿入すると、発光部側部分４ｃが位置決め空間部５３内を通過するとともに、固定部４５が蓋部５の上面５ａと接触する。この状態で、固定部４５を蓋部５に対して固定することで、固定部４５が、蓋部５のうち、上面５ａの外部側、すなわち蓋部５の外側で蓋部５に接触し、固定される。ライトガイド４の軸方向の位置決めは、ライトガイド４の径方向に突出した固定部４５を上面５ａの外部側に接触させることで確実に行うことができる。
【００３５】
以上のように、本実施形態に係る照明装置１−６は、上記実施形態１と同様の効果を奏するとともに、ライトガイド４を蓋部５の開口部５１に挿入するだけで、蓋部５に対するライトガイド４の位置決めを行うことができる。従って、組み立て作業の効率化を図ることができる。ここで、実施形態２においては、図６〜図８に示す変形例を適用可能である。
【００３６】
なお、上記実施形態等（実施形態１，２および変形例１〜３）においては、蓋部５の上面５ａに固定部４１〜４３，４５を接触させる際に、上面５ａに予め固定部４１〜４３，４５が挿入される凹部を形成してもよい。
【００３７】
また、上記実施形態等においては、ライトガイド４に発光部用凹部４２を形成せず、ライトガイド４の発光部２側端部を発光部２と対向するように配置させてもよい。この場合、ライトガイド４は、発光部２からの光の全部あるいは大部分を導光するために、発光部２と接触あるいは若干の隙間をもって光学的に接続されている。この場合、発光部２は、発光素子２１からの光を反射するリフレクタ２３がすべての発光素子２１を囲うように設けられている。リフレクタ２３は、内周面が基板２２側からライトガイド４側に向かって拡幅する傾斜面を有する。発光部２は、発光素子２１の損傷およびワイヤの切断の防止を目的として、リフレクタ２３によりできた空間部、すなわち、発光素子２１を収容する発光容器に透過性を有する樹脂２４を充填することで、発光素子２１が樹脂封止されている。複数の発光素子２１をリフレクタ２３内に収容するので、基板実装可能にすでにユニット化された複数のＬＥＤユニットをプリント基板に実装する場合と比較して、光源を小さくすることができ、基板の小型化を図ることができる。
【００３８】
また、上記実施形態等においては、ライトガイド４が固定されている蓋部５は、保持部３に対して着脱可能であってもよい。この場合、各実施形態（変形例）に対応する種類の異なるライトガイド４を蓋部５に予め固定することで予めユニット化する。一方、発光部２を保持部３に保持することで予めユニット化する。そして、取り付ける灯具などに応じて要求される照明装置に対する配光特性にあったライトガイド４および蓋部５のユニットを選択し、発光部２および保持部３のユニットに装着する。これにより、ライトガイド４および蓋部５のユニットを発光部２および保持部３のユニットに対して選択・交換することで、所望の配光特性の照明装置を提供することができる。
【００３９】
また、上記実施形態等では、基板２２が実装用基板と駆動用基板として機能したが、実装用基板および駆動用基板は別個であってもよい。この場合、駆動用基板は、各発光素子２１などの発熱量の多い部品が実装されていないことから熱移動を重視することがないため、紙フェノール、紙エポキシ、ガラスエポキシなどの安価な材料で形成されている絶縁基板とすることができる。
【００４０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００４１】
１−１〜１−６  照明装置
２  発光部
２１  発光素子
３  保持部
４  ライトガイド
４ａ  先端部
４１〜４３，４５  固定部
４４  凹部
５  蓋部
５１  開口部
５２  位置決め部
Ｓ  空間部
【図１】
2014235787.tif 000003
【図２】
2014235787.tif 000004
【図３】
2014235787.tif 000005
【図４】
2014235787.tif 000006
【図５】
2014235787.tif 000007
【図６】
2014235787.tif 000008
【図７】
2014235787.tif 000009
【図８】
2014235787.tif 000010
【図９】
2014235787.tif 000011
【図１０】
2014235787.tif 000012